(57)【要約】【課題】モアレ発生を抑制した撮影画像を用いて、表示パネルの画質を調整するための画質調整システム及び画質調整方法を提供する。【解決手段】画質調整装置２０は、撮影カメラ３０、テストパターン発生装置４１、ＲＯＭライタ４２に接続されている。撮影カメラ３０には、ＣＣＤ素子表面に対して垂直方向を回転軸として回動させるための回動装置３１が設けられている。また、画質調整装置２０の制御部２１は、モアレ発生を抑制するための回転角度を記憶した回転調整テーブルを備えている。制御部２１は、液晶パネルのサイズを特定し、回転調整テーブルを用いて、カメラの回転角度を特定する。そして、制御部２１は、回動装置３１に対して、特定した角度の回転を指示する。そして、制御部２１は、むら測定処理、補正データ生成処理、補正データの書き込み処理を実行する。【選択図】図１
2012186825.tif 000002
【特許請求の範囲】
【請求項１】
表示パネルに出力表示された画像を撮影手段で撮影した撮影画像に基づいて、当該表示パネルの画質を調整する画質調整装置であって、
調整対象の表示パネルの表面に対して垂直方向を回転軸とした当該表示パネルと前記撮影手段との相対角度であって、当該表示パネルの属性に対応したモアレの発生を抑制可能な角度を特定するモアレ調整手段と、
前記特定された角度の下で前記撮影手段により撮影した画像を、前記特定された角度に応じて変換した画像を生成する手段と、
前記変換した画像を用いて、表示むらを修正するための補正データを生成する手段と、
を備えたことを特徴とする画質調整装置。
【請求項２】
前記特定された角度となるように、前記撮影手段又は前記表示パネルの少なくとも一方を回転させる手段をさらに供えたことを特徴とする請求項１に記載の画質調整装置。
【請求項３】
表示パネルに出力表示された画像を撮影手段で撮影した撮影画像に基づいて、当該表示パネルの画質を調整する画質調整方法であって、
調整対象の表示パネルの表面に対して垂直方向を回転軸とした当該表示パネルと前記撮影手段との相対角度であって、当該表示パネルの属性に対応したモアレの発生を抑制可能な角度を特定するモアレ調整ステップと、
前記特定された角度の下で前記撮影手段により撮影した画像を、前記特定された角度に応じて変換した画像を生成するステップと、
前記変換した画像を用いて、表示むらを修正するための補正データを生成するステップと、
を含むことを特徴とする画質調整方法。
【請求項４】
請求項１又は２に記載の画質調整装置と、
前記表示パネルに出力表示される画像信号を供給するテストパターン発生装置と、
前記表示パネルに出力表示された画像を撮影するための撮影手段と、
を備えたことを特徴とする、表示パネルの画質調整システム。
【発明の詳細な説明】
【技術分野】
【０００１】
本発明は、モアレ発生を抑制した撮影画像を用いて、表示パネルの画質を調整するための画質調整装置、画質調整システム及び画質調整方法に関する。
【背景技術】
【０００２】
今日、液晶パネル等の表示パネルの製造ラインは、均一な品質を実現できるように構築されている。しかし、このような製造ラインにおいても、個々の表示パネルには、製造バラツキが発生する。そこで、各表示パネルにおいて、よりよい画像を出力できるように調整するための技術が検討されている（例えば、特許文献１参照。）。この特許文献１に記載の技術では、画質調整装置の制御部が、テストパターンを生成し、液晶パネルに供給し、撮影カメラから出力画像を取得する。そして、出力画像データについてバンドパスフィルタリングを行ない、補正値を算出する。すべての基準階調について画像補正テーブルの算出を終了した場合、補正回路のＲＯＭに書き込む。液晶パネルに画像を表示するための画像信号は、ＲＯＭに記録された画像補正テーブルを参照し、線形補間された補正値を算出する。
【０００３】
表示パネルの検査において、表示パネルに表示された画像を、ＣＣＤを用いたカメラ（ＣＣＤカメラ）で撮影すると、モアレが発生することが知られている。このモアレは、規則的な格子パターンで配列された画素で受光する光の輝度が、少しずつ規則的に変化を繰り返すことにより生じる。即ち、表示パネル、ＣＣＤ共に表示画像の単位である画素が規則的な格子パターンで配列されているが、表示パネルの各画素とＣＣＤの各画素との間での相対的な位置ずれによってＣＣＤの画素で受光する表示パネルの光の輝度が少しずつ規則的に変化を繰り返すことによりモアレが発生する。
【０００４】
モアレは大きな濃淡差を持ち、表示パネルの表示ムラの検査を行なう際に障害となるため、このモアレを除去する必要がある。この場合において、理想的（理論的）には、表示パネルの各画素とＣＣＤの各画素との間の相対的な位置ずれが無ければモアレは発生しないが、この位置ずれをゼロにすることは困難である。
【０００５】
そこで、表示パネルでの表示画像を取り込む際に生じたモアレを除去する技術が検討されている（例えば、特許文献２参照。）。この文献に記載された技術では、開始位置にあるＣＣＤカメラの露光を開いて表示画面の表示画像の取り込みを開始するとともに、ＸＺステージを水平方向及び垂直方向へ同時に駆動してＣＣＤカメラを表示画面に沿って斜めに移動する。ＣＣＤカメラが終了位置に到達した時点で、露光を閉じるとともにＸＺステージによる駆動を停止し、表示画像の取得を終了する。これにより、ＣＣＤカメラが斜めに移動している間は、ＣＣＤカメラによる表示画面での表示画像の取得を行なう。ＸＺステージによるＣＣＤカメラの移動量は、表示パネルの解像度を決定するドット数によって定められ、ＣＣＤカメラは、横方向に横ドットピッチ分、縦方向に縦ドットピッチ分同時に駆動される。
【０００６】
また、画像処理により、モアレが低減された画像を得るための技術も検討されている（例えば、特許文献３参照。）。この文献に記載された技術では、モアレが発生した画像を表す空間軸の信号を周波数軸の信号に変換し、この周波数軸の信号からモアレに相当する周波数成分を除去し、モアレに相当する周波数成分が除去された周波数軸の信号を空間軸の信号に変換する。
【先行技術文献】
【特許文献】
【０００７】
【特許文献１】特開２０１０−５７１４９号公報（第１頁、図１）
【特許文献２】特開２００５−７２８１６号公報（第１頁、図１）
【特許文献３】特開２００８−１１３３４号公報（第１頁、図１）
【発明の概要】
【発明が解決しようとする課題】
【０００８】
特許文献に記載されているように、モアレが発生した場合、本来の表示むらを測定することができないため、的確な補正データを生成することができないという課題があった。
しかしながら、特許文献２の方法では、表示パネルに対して焦点を合わせたままの状態でカメラを正確に水平移動させるための精密な制御が必要となり、そのカメラの水平移動制御に時間がかかって調整効率が悪いと共に、コストが嵩むという課題がある。また、特許文献３の画像処理によりモアレを除去する方法では、複雑な画像処理プログラムが必要となり、その画像処理に時間がかかって、調整効率が悪いという課題がある。
【０００９】
また、表示パネルの画素とＣＣＤの画素との「ずれ」には、パネルのサイズや解像度等のパネル属性の影響もある。例えば、固定焦点レンズで表示パネルを撮影する場合、固定距離での撮像においては、以下の要因による「ずれ」が考えられる。
【００１０】
（１）パネル解像度が固定（例えば１９２０×１０８０ドットの解像度）のときは、パネルサイズに応じてパネルの画素とＣＣＤの画素がずれる。
（２）パネルサイズが固定（例えば４０インチ）のときは、パネルの解像度が１９２０×１０８０ドットや１３６６×７６８ドット等の解像度等に応じてパネルの画素とＣＣＤの画素がずれる。
このような原因を考慮したモアレ抑制が必要である。
【００１１】
本発明は、上記課題を解決するためになされたものであり、その目的は、モアレ発生を抑制した撮影画像を用いて、表示パネルの画質を調整するための画質調整装置、画質調整システム及び画質調整方法を提供することにある。
【課題を解決するための手段】
【００１２】
上記問題点を解決するために、本発明に係る画質調整装置は、表示パネルに出力表示された画像を撮影手段で撮影した撮影画像に基づいて、当該表示パネルの画質を調整する画質調整装置であって、
調整対象の表示パネルの表面に対して垂直方向を回転軸とした当該表示パネルと前記撮影手段との相対角度であって、当該表示パネルの属性に対応したモアレの発生を抑制可能な角度を特定するモアレ調整手段と、
前記特定された角度の下で前記撮影手段により撮影した画像を、前記特定された角度に応じて変換した画像を生成する手段と、
前記変換した画像を用いて、表示むらを修正するための補正データを生成する手段と、
を備えたことを要旨とする。
【発明の効果】
【００１３】
本発明によれば、モアレ発生を抑制した撮影画像を用いて、表示パネルの画質を調整するための画質調整装置、画質調整システム及び画質調整方法を提供することができる。
【図面の簡単な説明】
【００１４】
【図１】本発明の画質調整システムの説明図。
【図２】本発明の処理手順の説明図であって、（ａ）は第１の実施形態の処理手順、（ｂ）は第２の実施形態の処理手順の説明図。
【発明を実施するための形態】
【００１５】
＜第１の実施形態＞
以下、本発明の画質調整システムの第１の実施形態を説明する。本実施形態では、調整対象の表示パネルの表示むら（輝度むら）を抑制して画質を改善する場合を想定する。ここでは、画質調整時のモアレ発生を抑制するために、調整対象の表示パネルと撮影手段とを結ぶ撮影方向を中心軸として、例えば、撮影手段を所定の角度で回転させる。本実施形態では、必要に応じ撮影手段等を回転させるための、調整対象の表示パネルの表面に対して垂直方向を回転軸とした当該表示パネルと撮影手段との相対角度を予め登録した角度調整テーブルを用いる。なお、本実施形態では、調整対象製品（表示パネル）として、パネル解像度が一定値の液晶パネル１０を用いるものとするが、本発明における調整対象製品は液晶パネルに限るものではなく、例えば、有機ＥＬパネルなどにも適用可能である。
【００１６】
この液晶パネル１０は、透明電極に挟まれた液晶（液晶部）と、背面から液晶を照明するバックライトから構成されている。このため、液晶パネル１０には、液晶部のむらやバックライトの周辺減光が重畳された画像が出力されることになる。
【００１７】
そこで、液晶パネル１０の画質を改善するために、図１に示すように、液晶パネル１０は、供給される画像信号を調整するための補正回路５０を備えている。そして、液晶パネル１０に画像を表示するための画像信号（ＲＧＢ信号）は、液晶パネル１０及び補正回路５０に供給される。
【００１８】
この補正回路５０は、図１に示すように、画質を調整するために、不揮発性メモリ（ＲＯＭ５１）、選択・補間手段５２、加算手段５３を備える。
このＲＯＭ５１は、入力された画像信号の信号値を調整するための補正値に関するデータ（画像補正テーブル）を記憶している。本実施形態では、基準階調毎に補正値の平面分布を記憶する。
【００１９】
選択・補間手段５２は、ＲＯＭ５１に記録された画像補正テーブルを、ＲＧＢ信号毎に参照する。ここでは、選択・補間手段５２は、画像信号の各ＲＧＢ信号値に隣接する二つの基準階調の画像補正テーブルにおいて、画像信号のピクセル位置（ｘｙ座標）を囲む四つのブロック格子点によって決まる補正値（２×４＝８個）を取得する。そして、選択・補間手段５２は、取得した補正値について、画像信号の信号値と各格子点との距離に応じて線形補間を行なう。
加算手段５３は、選択・補間手段５２から取得した補正値を、入力された画像信号に加算する。液晶パネル１０は、この補正された画像信号を取得して、画像を表示する。
【００２０】
この補正値を算出するための画質調整システムは、図１に示すように、画質調整装置２０、撮影カメラ３０、テストパターン発生装置４１、ＲＯＭライタ４２から構成される。
画質調整装置２０は、撮影カメラ３０、テストパターン発生装置４１、ＲＯＭライタ４２に接続されている。
【００２１】
ここで、撮影手段としての撮影カメラ３０は、液晶パネル１０上に表示された画像を撮影し、出力画像データを画質調整装置２０に供給する。本実施形態では、撮影カメラ３０として、表示パネルの画素サイズよりも小さい領域を解像可能なＣＣＤ素子を備えたモノクロカメラを用いる。そして、液晶パネル１０に表示された画像を撮影する。
【００２２】
この撮影カメラ３０には、ＣＣＤ素子表面に対して垂直方向を回転軸として回動させるための回動装置３１が設けられている。この回動装置３１は、後述する画質調整装置２０の制御部２１からの回転指示に応じて、調整対象の表示パネルと撮影手段とを結ぶ撮影方向（正面方向）を中心軸として撮影カメラ３０を回転させる。この回転により、調整対象の液晶パネル１０の画素の配置に対して、ＣＣＤ素子の画素の配置を回転させることができる。なお、本実施形態では撮影カメラ３０を回転させる態様を中心に説明するが、要は、調整対象の表示パネルと撮影手段との相対角度がモアレを抑制するような角度となればよいのであり、撮影カメラ３０を固定して調整対象となる表示パネルを回転させるようにしてもよいし、或いは所望の角度となるように撮影カメラ３０と表示パネルの双方を回転させてもよい。表示パネルを回転させる場合、画質調整装置２０の制御部２１は、調整対象の表示パネルを回転させるための回転指示を、表示パネルの搬送装置（不図示）に設けられた表示パネルを回動させる装置（不図示）に与えるように構成される。さらには、このような回転処理自体が不要となるように、当初から上述の相対角度が維持されるように表示パネルを配置して搬送等がなされるように構成してもよい。
【００２３】
信号発生手段としてのテストパターン発生装置４１は、画質調整装置２０からの指示に基づいて、液晶パネル１０にテストパターン信号を供給する。本実施形態では、８ｂｉｔのＲＧＢ信号を液晶パネル１０全面に供給する。
ＲＯＭライタ４２は、調整対象の液晶パネル１０のＲＯＭ５１に、画像補正テーブルを書き込む。
【００２４】
画質調整装置２０は、液晶パネル１０の画質を調整するための補正値を算出する処理を実行するコンピュータ端末である。この画質調整装置２０は、制御部２１、補正情報記憶部２２及びディスプレイを備える。このディスプレイは、液晶パネル１０の調整工程の管理者によって調整状況等を確認する場合に用いられる。
【００２５】
制御部２１は、制御手段としてのＣＰＵ、ＲＡＭ及びＲＯＭ等を有し、後述する処理（モアレ調整段階、むら測定段階、補正データ生成段階等を含む処理）を行なう。このための補正データ作成プログラムを実行することにより、制御部２１は、モアレ調整手段２１１、むら測定手段２１２、補正データ生成手段２１３として機能する。
【００２６】
モアレ調整手段２１１は、液晶パネル１０の撮影時のモアレ発生を抑制するために、必要に応じて撮影カメラ３０の角度を調整する処理を実行する。本実施形態では、モアレ調整手段２１１は、モアレ発生を抑制するための角度情報を記憶した角度調整テーブル（角度情報記憶手段）を備えている。この角度調整テーブルには、調整対象の液晶パネル１０のパネルサイズ（パネル属性）に対応させて、モアレ発生を抑制するための相対角度に関する情報が記憶されている。そして、モアレ調整手段２１１は、回動装置３１に対して、調整テーブルを用いて特定した角度の情報を含めた回転指示を必要に応じて提供する。
【００２７】
むら測定手段２１２は、調整対象の液晶パネル１０に対して、画像信号を提供するとともに、この画像信号に応じて出力された画像の撮影画像を撮影カメラ３０から取得する。
そして、撮影画像に基づいて、各画素の発光強度（特性情報）を算出する。
【００２８】
補正データ生成手段２１３は、調整対象製品の特性情報に対応した補正情報を生成する処理を実行する。具体的には、液晶パネル１０に表示された画像に基づいて補正値を算出し、算出した補正値により構成された画像補正テーブルを補正情報記憶部２２に記録する。
【００２９】
補正情報記憶部２２は、各液晶パネル１０の画像を補正するための補正データ（画像補正テーブル）を記憶する。この補正データは、画質調整装置２０から画像補正テーブルを取得した場合に登録される。この補正情報記憶部２２には、この液晶パネル１０のＲＯＭ５１に書き込むための補正データ（所定の階調毎に表示むらを抑制するための画像補正テーブル）が一時的に記憶される。
【００３０】
画質調整装置２０のディスプレイは、液晶パネル１０の調整工程の管理者が、調整状況等を確認するために用いられる。具体的には、このディスプレイには、後述するエラー処理を行なった場合に、メッセージが出力される。
【００３１】
上記のシステムを用いて、図２（ａ）に従って、液晶パネル１０の画質調整を行なう処理について説明する。
（パネル調整処理）
このパネル調整処理は、画質調整装置２０を用いて行なわれる。
まず、画質調整装置２０の制御部２１は、液晶パネルのサイズの特定処理を実行する（ステップＳ１−１）。具体的には、制御部２１のモアレ調整手段２１１は、撮影カメラ３０を用いて、液晶パネル１０を撮影した撮影画像を取得する。この場合、モアレ調整手段２１１は、撮影カメラ３０のズーム機能を用いて、パネル全面が移り込むようにして撮影する。そして、モアレ調整手段２１１は、撮影画像に写り込んだ液晶パネル１０の大きさと、ズーム機能による拡大率を用いて、調整対象の液晶パネル１０のパネルサイズを特定する。
【００３２】
次に、画質調整装置２０の制御部２１は、必要に応じてカメラ回転処理を実行する（ステップＳ１−２）。具体的には、制御部２１のモアレ調整手段２１１は、角度調整テーブルから、パネルサイズに対応したモアレを抑制可能な角度の情報を取得する。そして、モアレ調整手段２１１は、回動装置３１に対して、角度調整テーブルから取得した角度情報を含めた回転指示を供給する。回動装置３１は、この指示に応じて、指定された角度にＣＣＤ素子（撮影カメラ３０）を回転させる。更に、モアレ調整手段２１１は、この角度情報をむら測定手段２１２に供給する。
なお、撮影カメラ３０側ではなく調整対象となる表示パネル側を回転させる場合であれば、制御部２１のモアレ調整手段２１１は、パネルサイズに対応したモアレを抑制可能な角度の情報を角度調整テーブルから取得し、不図示の表示パネルを回動させる装置に対して、取得した角度情報を含めた回転指示を供給する。そして、当該指示に応じて、指定された角度で表示パネルが回転される。これにより、撮影カメラ３０を回転させた場合と同様の結果を得ることができる。
【００３３】
次に、画質調整装置２０の制御部２１は、むら測定処理を実行する（ステップＳ１−３）。具体的には、制御部２１のむら測定手段２１２が、テストパターン発生装置４１に対して、調整対象階調の画像出力を行なうためのＲＧＢ信号の出力を指示する。ここでは、調整対象階調において、液晶パネル１０全面に対して、Ｒ信号値、Ｇ信号値、Ｂ信号値が同じ信号（共通する信号値）を用いる。この指示に応じて、テストパターン発生装置４１は、調整対象階調となる８ｂｉｔのＲＧＢ信号を液晶パネル１０に供給する。
【００３４】
そして、液晶パネル１０は、これに応じて調整対象階調のグレー画像を出力する。この場合、液晶においてセルギャップのむらや、バックライトの明るさにむらがある場合には、液晶パネル１０において、これらのむらが重畳された表示むらが生じる。ここで、撮影カメラ３０は、表示むらが重畳された画像を撮影する。
【００３５】
そして、むら測定手段２１２は、液晶パネル１０を撮影した出力画像データを撮影カメラ３０から取り込む。そして、むら測定手段２１２は、例えば、アフィン（affine）変換により、モアレ調整手段２１１から取得した角度情報を用いて出力画像を回転させた変換画像を生成する。なお、回転変換の方法は、アフィン変換に限定されるものではない。そして、この変換画像データを、８×８ピクセルから構成されたブロック毎の輝度分布に変換する。
【００３６】
次に、むら測定手段２１２は、フィルタリング処理を実行する。具体的には、むら測定手段２１２は、取得した変換画像データに対してバンドパスフィルタリングを行なうことにより、バンドパスデータを算出する。このバンドパスデータは、液晶パネル１０の面内の輝度分布に応じて、低周波成分や高周波成分を除いた分布から構成される。
【００３７】
次に、画質調整装置２０の制御部２１は、補正データ生成処理を実行する（ステップＳ１−４）。具体的には、制御部２１の補正データ生成手段２１３が、バンドパスデータを反転させた画像補正テーブルを生成する。ここでは、具体的には、予め設定された階調（基準階調）毎に、液晶パネル１０上の補正値の分布を算出する。本実施形態では、８ｂｉｔで表現される信号値において所定数（例えば、１０段階）の基準階調を用いる。そして、基準階調に対応した調整対象階調を１段階毎に順次変更し、調整対象階調毎に画像補正テーブルを生成する。更に、補正情報生成手段は、調整を行なった基準階調を特定する識別子に関連付けて画像補正テーブルを補正情報記憶部２２に一時記憶する。
【００３８】
調整を終了した場合には、画質調整装置２０の制御部２１は、補正データの書き込み処理を実行する（ステップＳ１−５）。具体的には、制御部２１の補正データ生成手段２１３が、ＲＯＭライタ４２に対して、補正情報記憶部２２から抽出した画像補正テーブルを供給する。この場合、ＲＯＭライタ４２は、液晶パネル１０のＲＯＭ５１に画像補正テーブルを書き込む。これにより、ＲＯＭ５１には、基準階調毎に、液晶パネル１０の面内のブロック位置（ｘｙ座標）に対して補正値の分布が記録される。
【００３９】
本実施形態によれば、以下のような効果を得ることができる。
（１）本実施形態では、画質調整装置２０の制御部２１は、必要に応じカメラ回転処理（又は表示パネル回転処理）を実行する（ステップＳ１−２）。これにより、調整対象の液晶パネル１０の画素の配置に対して、ＣＣＤ素子の画素の配置を変更してモアレ発生を抑制することができる。デフォーカスによりモアレを抑制する場合と異なり、解像度を維持しながら、モアレ発生を抑制することができる。
【００４０】
（２）本実施形態では、画質調整装置２０の制御部２１は、液晶パネルのサイズの特定処理を実行する（ステップＳ１−１）。調整対象の液晶パネル１０のパネルサイズによってモアレの発生状況は異なるが、この状況を考慮して適切な角度（調整対象の表示パネルの表面に対して垂直方向を回転軸とした当該表示パネルと撮影手段との相対角度）を設定することができる。
【００４１】
（３）本実施形態では、モアレ調整手段２１１は、角度情報（モアレを抑制するような相対角度の情報）をむら測定手段２１２に供給する。そして、むら測定手段２１２は、アフィン変換により、モアレ調整手段２１１から取得した角度情報を用いて出力画像を回転させた変換画像を生成する。これにより、本来の液晶パネル１０の画素の配置を特定し、この配置における補正データを設定することができる。
【００４２】
＜第２の実施形態＞
次に、本発明を具体化したパネル調整処理の第２の実施形態を図２（ｂ）に従って説明する。なお、第２の実施形態は、第１の実施形態のモアレ調整処理を変更したのみの構成であるため、同様の部分についてはその詳細な説明を省略する。本実施形態では、画質調整時にモアレの発生状況を確認して、撮影手段（又は調整対象の表示パネル）をどの程度回転させるのかを決定する。このため、制御部２１のモアレ調整手段２１１に、モアレ調整の要否を判定するために、モアレ縞の強度（モアレ強度）についての基準値に関するデータを保持させておく。更に、制御部２１に、回転角度に対して、モアレ強度に関するデータを記憶させるワークメモリを設ける。
【００４３】
ここでは、まず、画質調整装置２０の制御部２１は、均一画像信号の入力処理を実行する（ステップＳ２−１）。具体的には、制御部２１のモアレ調整手段２１１は、テストパターン発生装置４１に対して、調整対象の液晶パネル１０に対して均一の画像信号を供給するように指示する。本実施形態では、中間階調の画像を液晶パネル１０の全面に出力するためのＲＧＢ信号を供給する。そして、液晶パネル１０は、これに応じて調整対象階調のグレー画像を出力する。
【００４４】
次に、画質調整装置２０の制御部２１は、モアレ測定処理を実行する（ステップＳ２−２）。具体的には、制御部２１のモアレ調整手段２１１は、撮影カメラ３０を用いて、液晶パネル１０の出力画像の撮影を指示する。そして、モアレ調整手段２１１は、液晶パネル１０を撮影した出力画像データを撮影カメラ３０から取り込む。この場合、表示むらやモアレが重畳された画像が撮影される。この場合、モアレ調整手段２１１は、モアレ縞を検出するためのローパスフィルタリングを行なうことにより、ローパスデータを算出する。次に、モアレ調整手段２１１は、ローパスデータにおけるモアレ強度を算出する。そして、モアレ調整手段２１１は、ワークメモリに、角度（ここでは０度）に関連付けて、算出したモアレ強度を記録する。
【００４５】
次に、画質調整装置２０の制御部２１は、許容範囲内かどうかについての判定処理を実行する（ステップＳ２−３）。具体的には、制御部２１のモアレ調整手段２１１は、モアレ強度と予め定められた基準値とを比較する。ここで、モアレ強度が基準値以下の場合には、許容範囲内と判定する。
【００４６】
モアレ強度が許容範囲内の場合（ステップＳ２−３において「ＹＥＳ」の場合）、画質調整装置２０の制御部２１は、ステップＳ１−３〜Ｓ１−５と同様に、むら測定処理（ステップＳ２−１１）、補正データ生成処理（ステップＳ２−１２）、補正データの書き込み処理（ステップＳ２−１３）を実行する。
【００４７】
一方、モアレ強度が許容範囲内でない場合（ステップＳ２−３において「ＮＯ」の場合）、画質調整装置２０の制御部２１は、カメラ（又は表示パネル）回転処理を実行する（ステップＳ２−４）。具体的には、制御部２１のモアレ調整手段２１１は、回動装置３１等に対して、予め定められた微小角度の回転を指示する。
【００４８】
次に、画質調整装置２０の制御部２１は、ステップＳ２−２と同様に、モアレ測定処理を実行する（ステップＳ２−５）。この場合には、モアレ調整手段２１１は、ワークメモリに、回転角度（ここでは微小角度）に関連付けて、算出したモアレ強度を記録する。
【００４９】
次に、画質調整装置２０の制御部２１は、ステップＳ２−３と同様に、許容範囲内かどうかについての判定処理を実行する（ステップＳ２−６）。
モアレ強度が許容範囲内の場合（ステップＳ２−６において「ＹＥＳ」の場合）、画質調整装置２０の制御部２１は、ステップＳ１−３〜Ｓ１−５と同様に、むら測定処理（ステップＳ２−１１）〜補正データの書き込み処理（ステップＳ２−１３）を実行する。
【００５０】
一方、モアレ強度が許容範囲内でない場合（ステップＳ２−６において「ＮＯ」の場合）、画質調整装置２０の制御部２１は、モアレ強度に極小値があったかどうかについての判定処理を実行する（ステップＳ２−７）。具体的には、制御部２１のモアレ調整手段２１１は、ワークメモリに記憶されたモアレ強度が、回転角度に応じて減少し、その後、増大している場合には、極小値があったと判定する。
【００５１】
モアレ強度に極小値がなかった場合（ステップＳ２−７において「ＮＯ」の場合）、画質調整装置２０の制御部２１は、カメラ（又は表示パネル）回転処理（ステップＳ２−４）からの処理を繰り返す。なお、回転角度に応じてモアレ強度が増加している場合には、回動装置３１の回転方向を反転させる。
【００５２】
一方、モアレ強度に極小値があった場合（ステップＳ２−７において「ＹＥＳ」の場合）、画質調整装置２０の制御部２１は、極小値の角度での設定処理を実行する（ステップＳ２−８）。具体的には、制御部２１のモアレ調整手段２１１は、ワークメモリにおいて、モアレ強度の極小値に関連付けられた角度情報を取得する。そして、モアレ調整手段２１１は、回動装置３１に対して、取得した角度情報に従って回転を指示する。
【００５３】
次に、画質調整装置２０の制御部２１は、ステップＳ２−３と同様に、極小値が許容範囲内かどうかについての判定処理を実行する（ステップＳ２−９）。
極小値が許容範囲内の場合（ステップＳ２−９において「ＹＥＳ」の場合）、画質調整装置２０の制御部２１は、ステップＳ１−３〜Ｓ１−５と同様に、むら測定処理（ステップＳ２−１１）〜補正データの書き込み処理（ステップＳ２−１３）を実行する。
【００５４】
一方、モアレ強度の極小値においても、許容範囲内でない場合（ステップＳ２−９において「ＮＯ」の場合）、画質調整装置２０の制御部２１は、デフォーカス処理を実行する（ステップＳ２−１０）。具体的には、制御部２１のモアレ調整手段２１１は、撮影カメラ３０に対して、モアレ測定を行ないながら、モアレ強度が許容範囲内になるまでデフォーカスする。そして、画質調整装置２０の制御部２１は、ステップＳ１−３〜Ｓ１−５と同様に、むら測定処理（ステップＳ２−１１）〜補正データの書き込み処理（ステップＳ２−１３）を実行する。
【００５５】
本実施形態によれば、以下のような効果を得ることができる。
（４）本実施形態では、画質調整装置２０の制御部２１は、モアレ測定処理を実行する（ステップＳ２−２）。モアレ強度が許容範囲内でない場合（ステップＳ２−３において「ＮＯ」の場合）、画質調整装置２０の制御部２１は、カメラ（又は表示パネル）回転処理を実行する（ステップＳ２−４）。モアレ強度が許容範囲内の場合（ステップＳ２−６において「ＹＥＳ」の場合）、画質調整装置２０の制御部２１は、ステップＳ１−３〜Ｓ１−５と同様に、むら測定処理（ステップＳ２−１１）〜補正データの書き込み処理（ステップＳ２−１３）を実行する。これにより、モアレが発生している場合のみ、回転によりモアレを抑制することができる。
【００５６】
（５）本実施形態では、モアレ強度が許容範囲内でない場合（ステップＳ２−６において「ＮＯ」の場合）、画質調整装置２０の制御部２１は、モアレ強度に極小値があったかどうかについての判定処理を実行する（ステップＳ２−７）。これにより、モアレを抑制できない場合においても、モアレ強度が極小値となる角度を設定して画質調整を行なうことができる。
【００５７】
（６）本実施形態では、モアレ強度に極小値がある場合（ステップＳ２−７において「ＹＥＳ」の場合）、画質調整装置２０の制御部２１は、極小値の角度での設定処理を実行する（ステップＳ２−８）。そして、モアレ強度の極小値においても、許容範囲内でない場合（ステップＳ２−９において「ＮＯ」の場合）、画質調整装置２０の制御部２１は、デフォーカス処理を実行する（ステップＳ２−１０）。これにより、撮像手段（又は表示パネル）の回転によってモアレを抑制できない場合にも、補助的にデフォーカスによりモアレを抑制することができる。
【００５８】
また、上記実施形態は以下のように変更してもよい。
・  上記第１の実施形態においては、液晶パネル等のサイズの特定処理を実行する（ステップＳ１−１）。ここでは、撮影カメラ３０を用いてパネルサイズを特定する。パネルサイズの特定方法はこれに限定されるものではなく、画質調整装置２０に接続された入力手段によって設定するようにしてもよい。
【００５９】
・  上記第１の実施形態においては、調整対象製品として、パネル解像度が一定値の液晶パネル１０を用い、パネル属性としてのパネルサイズに対応させて、モアレ発生を抑制するための角度（相対角度）を特定する。この角度を特定するためのパネル属性は、パネルサイズに限定されるものではなく、例えば、パネルの解像度を用いて当該角度を特定してもよい。この場合には、パネルサイズが一定値の液晶パネル１０を調整対象製品とするとともに、角度調整テーブルには、調整対象の液晶パネル１０の解像度に対応させて、モアレ発生を抑制するための相対角度に関する情報を記憶されておく。そして、画質調整装置２０は、調整対象製品の解像度を取得して、角度調整テーブルを用いて適切な角度を特定する。解像度の取得方法としては、画質調整装置２０に接続された入力手段によって設定したり、液晶パネル１０の製品番号に対して解像度が登録された調整対象製品データ記憶部から取得したりする。後者の場合、画質調整装置２０は、液晶パネル１０に記憶された製品番号や、入力手段によって設定された製品番号を取得して、調整対象製品データ記憶部から解像度を取得する。さらに、モアレ発生を抑制するための角度を特定するためのパネル属性には、例えば画素配列も挙げられる。この場合も上記と同様、調整対象製品の画素配列を取得し、予め用意しておいた角度調整テーブル（調整対象となるパネルの画素配列に対応させてモアレ発生を抑制するための相対角度に関する情報を記憶した角度調整テーブル）を用いて、適切な角度が特定される。このように、モアレ発生を抑制するための角度を特定するためのパネル属性には、パネルサイズ及び解像度以外の他の要因も含まれ得るものである。
【００６０】
また、回転調整テーブルに複数のパネル属性（例えば、サイズと解像度）に応じて、モアレ発生を抑制可能な角度を記憶させておくようにしてもよい。この場合には、画質調整装置２０は、複数のパネル属性（サイズと解像度）を取得して、適切な角度を特定する。
これにより、表示パネの各種属性に応じて、モアレ発生を抑制することができる。
【００６１】
・  上記第２の実施形態においては、まず、画質調整装置２０の制御部２１は、均一画像信号の入力処理を実行する（ステップＳ２−１）。ここで、第１の実施形態と同様に、液晶パネルのサイズの特定処理（ステップＳ１−１）、カメラ（又は表示パネル）回転処理（ステップＳ１−２）を実行するようにしてもよい。これにより、予め設定された角度を初期値として、効率的にモアレを抑制する角度を算出することができる。
【００６２】
・  上記実施形態においては、必要に応じてカメラ（又は表示パネル）回転処理を実行する（ステップＳ１−２，Ｓ２−４）。ここでは、調整対象の液晶パネル１０に対して一つの角度を用いて、むら測定処理（ステップＳ１−３、Ｓ２−１１）〜補正データの書き込み処理（ステップＳ１−５、Ｓ２−１３）を実行する。しかし、カメラ（又は表示パネル）の回転角度は固定的である必要はなく、例えば、調整対象の液晶パネル１０の各調整領域において、モアレの発生状況に応じて、回転角度を変更するようにしてもよい。この場合には、液晶パネル１０を複数の領域を分割し、制御部２１のモアレ調整手段２１１が、領域毎にモアレの発生状況を測定する。そして、モアレ調整手段２１１は、この発生状況に応じて回転角度を決定して、むら測定処理〜補正データの書き込み処理を実行する。調整対象パネルのパネルサイズが大きい場合には、場所や撮影カメラ３０からの仰角に応じて、モアレの発生状況が異なるが、この発生状況に応じて、適切な角度を設定することができる。
【符号の説明】
【００６３】
１０・・・液晶パネル、２０・・・画質調整装置、２１・・・制御部、２１１・・・モアレ調整手段、２１２・・・むら測定手段、２１３・・・補正データ生成手段、２２・・・補正情報記憶部、３０・・・撮影カメラ、３１・・・回動装置、４１・・・テストパターン発生装置、４２・・・ＲＯＭライタ、５０・・・補正回路、５１・・・ＲＯＭ。
【図１】
2012186825.tif 000003
【図２】
2012186825.tif 000004